(57)【要約】      （修正有）【課題】送風の吹出口を回転自在とすることで、十分な送風が困難な開口されていない部分への送風を可能とし、吹出し空気の風速分布均一化をはかることができるようにした天井埋込型空気調和機を提供する。【解決手段】天井板上側の空間に吊り下げて設置される空気調和機であって、下方向が開口されたケーシング１と、ケーシング１下部に設置された化粧パネル２と、ケーシング１内に設置された熱交換器３と、熱交換器３の中央部に軸方向を垂直にしてケーシング１内に支持されたファンモータと、ファンモータにより駆動される遠心ファン４と、ケーシング１下部に吹出口８を備えた回動自在の回転板７と、回転板７を回動するためのアクチュエーター５とで構成されたことを特徴とする空気調和機である。【選択図】図１
2017122539.tif 000002
【特許請求の範囲】
【請求項１】
天井板上側の空間に吊り下げて設置される空気調和機であって、下方向が開口されたケーシングと、ケーシング下部に設置された化粧パネルと、ケーシング内に設置された熱交換器と、同熱交換器の中央部に軸方向を垂直にして前記ケーシング内に支持されたファンモータと、同ファンモータにより駆動される遠心ファンと、前記ケーシング下部に吹出口を備えた回動自在の回転板と、同回転板を回動するためのアクチュエーターとで構成されたことを特徴とする空気調和機。
【請求項２】
前記吹出口が、全周方向を吹出口個数で除した駆動範囲で回動することを特徴とする請求項１に記載の空気調和機。
【請求項３】
前記吹出口の駆動範囲を任意に変化することを特徴とする請求項１から請求項２に記載の空気調和機。
【請求項４】
人を検知する手段を備え、人の存在する方向、もしくは人の存在しない方向に吹出口を回動することを特徴とする請求項１から請求項３に記載の空気調和機。
【請求項５】
前記化粧パネルが矩形形状をしており、前記アクチュエーターが矩形化粧パネルのコーナー部に設置されていることを特徴とする請求項１から請求項４に記載の空気調和機。
【請求項６】
前記吹出口の回動速度が一定速度ではないことを特徴とする請求項１から請求項５に記載の空気調和機。
【請求項７】
前記吹出口が周期的に駆動範囲を回動する運転モードと、前記人を検知する手段と連携し人の存在する方向に吹出口を回動する運転モードと、前記人を検知する手段と連携し人の存在しない方向に吹出口を回動する運転モードを備え、上記運転モードをリモコンもしくは遠隔管理システムから切り替えられることを特徴とする請求項１から請求項６に記載の空気調和機。
【請求項８】
熱交換器や送風機が収納された本体と、この本体の下部に取り付けられる化粧パネルとから構成された天井取付型の空気調和機において、この化粧パネルには、このパネルの中心を軸として（略水平に）回動する回転板が配置され、この板には前記熱交換器で調温された空気が吐出される吹出口が略丸型に配置されていることを特徴とする空気調和機。
【発明の詳細な説明】
【技術分野】
【０００１】
本発明は、回動自在の吹出口を備え、吹き出し空気の風速分布均一化をはかることができるようにした構造の天井埋込型空気調和機に関する。
【背景技術】
【０００２】
従来の天井埋込型空気調和機は、例えば図９で示すように、天井板上側の空間に吊り下げられ、上部を天板で閉塞した円筒状の箱体２５と、同箱体の下部開口端を閉塞し、中央部の円形吸込口１９およびその周縁に沿うドーナツ状の吹出口を備えた化粧パネル１４と、前記円形吸込口の内側に設けられたフィルタ２０と、前記箱体内の上部中央に配置された円形熱交換器と、同円形熱交換器の中央部に軸方向に垂直にして前記箱体側に支持されたファンモータ１１と、同ファンモータにより駆動される遠心ファン１２と、前記吹出口に回転自在に設けられた風向変更板１６と、同風向変更板を駆動する駆動モータ８、伝達部１８、１７および連係部２１からなる駆動装置とからなる構成であった（特許文献１参照）。
【０００３】
しかしながら、前記化粧パネル１４に設けられたドーナツ状の吹出口は回転せず、風向変更板１６のみ回転自在となる構成であるため、吹出口に比べて開口されていない領域においては十分な送風が行えず、送風が不均一となり快適な空気調和が実現できにくいという問題があった。
【０００４】
また、従来の天井埋込型空気調和機は、例えば図１０で示すように、主として、４つのパネル辺部３０ａ〜３０ｄと４つの角部３０ｅ〜３０ｈとが交互に連続して形成される化粧パネル３を備えている。化粧パネル３は、パネル辺部３０ａ〜３０ｄに沿うように配置された主吹出口３２ａ〜３２ｄと、角部３０ｅ〜３０ｈに配置された補助吹出口３２ｅ〜３２ｈとを有している。主吹出口３２ａ〜３２ｄには、その長手方向の軸周りに揺動可能な水平フラップ３５ａ〜３５ｄが設けられている。補助吹出口３２ｅ〜３２ｈの周縁部は、補助吹出口３２ｅ〜３２ｈから一定方向に空気が吹き出されるように形成されている（特許文献２参照）。
【０００５】
しかしながら、補助吹出口３２ｅ〜３２ｈは主吹出口３２ａ〜３２ｄよりも開口面積が小さくなっている構成であるため、角部へは十分な送風が行えず、送風が不均一となり快適な空気調和が実現できにくいという問題があった。
【先行技術文献】
【特許文献】
【０００６】
【特許文献１】特開平１１−２０１４９４号公報
【特許文献２】特開２００５−１５６０４３号公報
【発明の概要】
【発明が解決しようとする課題】
【０００７】
本発明の課題は、天井板上側の空間に吊り下げて設置される天井埋込型空気調和機において、快適な空気調和を実現することにある。
【課題を解決するための手段】
【０００８】
請求項１に記載の天井埋込型空気調和機は、天井板上側の空間に吊り下げて設置され、下方向が開口されたケーシングと、ケーシング下部に設置された化粧パネルと、ケーシング内に設置された熱交換器と、同熱交換器の中央部に軸方向を垂直にして前記ケーシング
内に支持されたファンモータと、同ファンモータにより駆動される遠心ファンと、前記ケーシング下部に吹出口を備えた回動自在の回転板と、同回転板を回動するためのアクチュエーターとからなる構成となっている。この天井埋込型空気調和機では、化粧パネル中央部に設けられた吸込口から吸入された空気は熱交換器によって温調された後、回転自在の回転板に備えられた吹出口から空調室内に吹き出されるようになっている。ここで、吹出口は任意の方向に回転自在となっているため、回動することによって全周方向に送風を行う。そのため、吹出口が開口されていない方向へも送風ができるようになり、吹き出し空気の風速分布均一化をはかることができるため、快適な空気調和を実現することができる。
【０００９】
請求項２に記載の天井埋込型空気調和機は、請求項１において、回転自在の回転板の回動範囲を、全周方向を吹出口個数で除した角度としたことを特徴としている。この天井埋込型空気調和機では、必要最低限の回動範囲で全周への送風を行う。そのため、効率的に吹き出し空気の風速分布均一化をはかることができる。また、回転板に設置された部品と制御基板とを結ぶ配線の長さを短くすることができると共に、配線部の可動範囲が小さくなるため、耐久性の向上をはかることができる。
【００１０】
請求項３に記載の天井埋込型空気調和機は、請求項１から請求項２において、吹出口の駆動範囲を任意に変化することを特徴としている。この天井埋込型空気調和機では、空調空間の負荷状況に応じて吹出口の回動範囲を調整する。そのため、効率的に吹き出し空気の風速分布均一化をはかることができる。
【００１１】
請求項４に記載の天井埋込型空気調和機は、請求項１から請求項３において、人を検知する手段を備え、人の存在する方向、もしくは人の存在しない方向に吹出口を回動することを特徴としている。この天井埋込型空気調和機では、人の位置に応じて、直接人の存在する方向に送風を行う運転と、人の存在する方向を避けて送風を行う運転を有している。そのため、利用者のニーズに応じて空気調和範囲を必要最低限とすることができるため、省エネ性の向上をはかることができる。
【００１２】
請求項５に記載の天井埋込型空気調和機は、請求項１から請求項４において、化粧パネルが矩形形状をしており、アクチュエーターが矩形化粧パネルのコーナー部に設置されていることを特徴としている。この天井埋込型空気調和機では、アクチュエーターをコーナー部に設置することで、吹出口を設置する空間が大きくなる。そのため、円弧状に配置された吹出口の半径を最大化することができるため、ケーシング内に設置された熱交換器を最大化することができ、熱交換器の高性能化をはかることができる。
【００１３】
請求項６に記載の天井埋込型空気調和機は、請求項１から請求項５において、吹出口の回動速度が一定速度ではないことを特徴としている。この天井埋込型空気調和機では、回転速度を変化させることによって、吹き出し方向に対して送風量の調節が可能となる。そのため、空調室内の負荷分布や利用者のニーズに応じて送風量の調節ができるため、快適な空気調和を効率的に提供することができる。また、空気調和範囲を必要最低限とすることができるため、省エネ性の向上をはかることができる。
【００１４】
請求項７に記載の天井埋込型空気調和機は、請求項１から請求項６において、吹出口が周期的に駆動範囲を回動する運転モードと、人を検知する手段と連携し人の存在する方向に吹出口を回動する運転モードと、人を検知する手段と連携し人の存在しない方向に吹出口を回動する運転モードを備え、運転モードをリモコンもしくは遠隔管理システムから切り替えられることを特徴としている。この天井埋込型空気調和機では、遠隔管理システムと連携することで集中管理が可能となる。そのため、請求項３の効果に加え、建物全体の省エネ性向上をはかることができる。
【００１５】
請求項８に記載の天井埋込型空気調和機は、熱交換器や送風機が収納された本体と、この本体の下部に取り付けられる化粧パネルとから構成された天井取付型の空気調和機において、この化粧パネルには、このパネルの中心を軸として（略水平に）回動する回転板が配置され、この板には前記熱交換器で調温された空気が吐出される吹出口が略丸型に配置されていることを特徴とする。この天井埋込型空気調和機では、吹出口は回転軸を中心の配置となる。そのため、回動した時に全周方向に対して吹き出し空気の風速分布均一化をはかることができる。
【発明の効果】
【００１６】
この天井埋込型空気調和機では、化粧パネル中央部に設けられた吸込口から吸入された空気は熱交換器によって温調された後、回転自在の回転板に備えられた吹出口から空調室内に吹き出されるようになっている。ここで、吹出口は任意の方向に回転自在となっているため、回動することによって全周方向に送風を行う。そのため、吹出口が開口されていない方向へも送風ができるようになり、吹き出し空気の風速分布均一化をはかることができるため、快適な空気調和を実現することができる。
【図面の簡単な説明】
【００１７】
【図１】本発明による天井埋込型空気調和機を上方向からの斜視図
【図２】本発明による天井埋込型空気調和機を下方向からの斜視図
【図３】本発明による天井埋込型空気調和機の実施の形態１における回転板のタイムテーブルを示す図
【図４】本発明による天井埋込型空気調和機の実施の形態２を示す化粧パネルを空調室内から見た平面図
【図５】本発明による天井埋込型空気調和機の実施の形態２（人の存在する方向に吹出口を回動する運転モード）における回転方向と回転速度の関係図
【図６】本発明による天井埋込型空気調和機の実施の形態２（人の存在しない方向に吹出口を回動する運転モード）における回転方向と回転速度の関係図
【図７】本発明による天井埋込型空気調和機の実施の形態３を示す化粧パネルを空調室内から見た平面図
【図８】本発明による天井埋込型空気調和機の実施の形態３におけるフローチャート
【図９】従来例による天井埋込型空気調和機の分解斜視図
【図１０】従来例による天井埋込型空気調和機の化粧パネルを空調室内から見た平面図
【発明を実施するための形態】
【００１８】
以下、本発明の実施の形態を、添付図面に基づいた実施の形態として詳細に説明する。
【００１９】
（実施の形態１）
図１、図２は本発明による天井埋込型空気調和機の一実施の形態を示す斜視図である。天井板上側の空間に吊り下げて設置される空気調和機であって、下方向が開口されたケーシング１と、ケーシング下部に設置された化粧パネル２と、ケーシング内に設置された熱交換器３と、同熱交換器の中央部に軸方向を垂直にして前記ケーシング内に支持された図示しないファンモータと、同ファンモータにより駆動される遠心ファン４と、前記ケーシング下部に吹出口８を備えた回動自在の回転板７と、同回転板を回動するためのアクチュエーター５とで構成されている。
【００２０】
前記ケーシングの内部には円周方向に位置決め用の突起部を備えたドレンパン６が設けられており、吸込口１０から吸入した空気が前記熱交換器を通過してから吹出口へと行くように空気回路を形成している。前記化粧パネルの中央部には吸込口と図示しないフィル
タが設けられており、前記遠心ファンによって空調室内の空気が吸込口から吸入される。
【００２１】
吸入された空気は熱交換器によって温調された後、回転自在の回転板に備えられた吹出口から空調室内に吹き出されるようになっている。回転板の動作を示すタイムテーブルを一例を図３に示す。実施の形態では吹出口を４個所備えているため、全周方向を吹出口個数で除した９０°（±４５°）を動作範囲としている。一定周期で±４５°を回動することにより、吹出口が開口されていない空間にも送風を行うことが可能となり吹き出し空気の風速分布均一化を図ることができ、快適な空気調和を実現することができる。
【００２２】
（実施の形態２）
次に、化粧パネル２のコーナー部に水平方向・垂直方向に回転可能な機能（パン・チルト機能）を備えた人感センサーやカメラなどの人を検知する手段１１を有した実施の形態を図４に示す。なお、実施の形態１と同じ部分については同じ番号を付与し、詳細な説明を省略する。前記検知手段は矩形化粧パネルのコーナー部に設置されており、アクチュエーター５の振動が伝わらないよう、対角上に配置されている。検知手段は一定周期で水平方向・垂直方向に回転して人検知を実施する。
【００２３】
図５に人を検知した場合で、人の存在する方向に対して送風を重点的に行う運転モードの回転方向と回転速度の関係を示す。実施の形態１と同様に吹出口の動作範囲は±４５°となっており、動作範囲の中央に人を検知した場合で、人の存在する方向に多く送風を行う場合を示している。反転動作を行う端部（＋４５°、−４５°）では回転速度がゼロとなり、人の存在を検知した方向（０°）では回転速度を小さくし、それ以外の方向に対しては回転速度を小さくする。回転速度の小さな範囲では、送風量が多くなるため重点的に空気調和をはかることができるのに対し、回転速度の大きな範囲は送風量が小さくなり、人の存在する空間の空気調和に関わるエネルギーを削減することが可能となるため、省エネ性の向上をはかることができる。
【００２４】
また、空間全体ではなく人の存在する空間のみを優先して空気調和するため、効率的に素早く快適な空気調和を行うことができる。
【００２５】
一方、直接送風があたる場合に不快感を抱く利用者に適した運転モードを図６に示す。反転動作を行う端部（＋４５°、−４５°）では回転速度がゼロとなり、人の存在を検知した方向（０°）で回転速度が最大となるような、上に凸の回転速度を形成する。人の存在する方向への送風量を小さくし、その周囲の送風量を大きくするため、直接風があたることによる不快を感じることなく、周囲から緩やかに空気調和をはかることが可能となる。
【００２６】
（実施の形態３）
次に、回転板７に垂直方向に回動可能な機能（チルト機能）を備えた人感センサーやカメラなどの人を検知する手段１１を有した実施の形態を図７に示す。なお、実施の形態２と同じ部分については同じ番号を付与し、詳細な説明を省略する。
【００２７】
水平方向の回動（パン機能）の役割を回転板が果たすことで、人感センサーやカメラなどの人を検知する手段は垂直方向の回動（チルト機能）のみでよくなるため、低コスト化をはかることができる。人を検知する手段を回転板に備えた場合のフローチャートを図８に示す。
【００２８】
まず最初に、全周方向の人検知を実施するために１周３６０°を回動する。人の存在する方向を検知し、内部記憶媒体に方向情報を保持し、人の存在する方向に吹出口を回動する運転モードもしくは人の存在しない方向に吹出口を回動する運転モードに応じて、実施
の形態２に示した方法と同様の運転を実施する。所定時間が経過した場合は、再度全周方向の人検知を実施し、内部記憶媒体に保持された人の存在する方向情報を更新する。
【００２９】
以上説明した実施の形態において、人の存在する方向が複数検知された場合などは、図５もしくは図６において複数のピークを持った回転速度としてもよい。
【００３０】
また、一定周期で吹出口を回動する運転モード、人の存在する方向に吹出口を回動する運転モード、人の存在しない方向に吹出口を回動する運転モードはリモコンもしくは遠隔管理システムから切り替えられる構成となっていてもよい。
【００３１】
また、空調空間の温度を検知する手段を設け、空調空間の温度と目標温度の差が所定値よりも大きい場合には人の存在する方向に吹出口を回動する運転モードとし、空調空間の温度と目標温度の差が所定値よりも小さい場合には人の存在しない方向に吹出口を改装する運転モードに自動的に切り替わる運転モードとしてもよい。
【００３２】
また、設置する空調空間の負荷条件に応じて、例えば窓の方向で日射が差し込む時間に応じて、図５もしくは図６に示すような回転速度をカレンダー機能として設定できるようにしてもよい。この場合、図示している「人を検知した方向」は「負荷が発生する方向」と置き換えられる。
【産業上の利用可能性】
【００３３】
本発明は、天井埋込型空気調和機において、回転自在の回転板に備えられた吹出口から空調室内に温調された空気を吹き出すことにより、吹出口が開口されていない方向へも送風を可能とする空気調和装置を提供する。
【符号の説明】
【００３４】
１     ケーシング
２     化粧パネル
３     熱交換器
４     遠心ファン
５     アクチュエーター
６     ドレンパン
７     回転板
８     吹出口
９     フラップ
１０   吸込口
１１   人を検知する手段
【図１】
2017122539.tif 000003
【図２】
2017122539.tif 000004
【図３】
2017122539.tif 000005
【図４】
2017122539.tif 000006
【図５】
2017122539.tif 000007
【図６】
2017122539.tif 000008
【図７】
2017122539.tif 000009
【図８】
2017122539.tif 000010
【図９】
2017122539.tif 000011
【図１０】
2017122539.tif 000012